(57)【要約】【課題】製造コストが低く、大雨等の際に雨水枡等から流出し難い蓋を提供する。【解決手段】蓋本体１ａと、蓋本体の下面の縁部近傍の互いに離間する位置に配置される複数の筒状部材又は棒状部材（パイプ）１ｄとを備え、開口穴の穴部に複数の筒状部材又は棒状部材が配置された状態で蓋本体によって開口穴の開口部を閉じる蓋で１あって、蓋本体の下面に水圧が加えられた場合に、開口穴から浮き上がって蓋本体と開口部の隙間から水圧を逃がすと共に、複数の筒状部材又は棒状部材の一部が穴部の内面に当接して蓋の開口穴からの離脱を防止し、蓋本体への水圧が低下した場合に、複数の筒状部材又は棒状部材が、穴部の内面から離間すると共に、自重により蓋が降下し、蓋本体によって開口穴の開口部を塞ぐ蓋。【選択図】図１
2018062780.tif 000002
【特許請求の範囲】
【請求項１】
蓋本体と、該蓋本体の下面の縁部近傍の互いに離間する位置に配置される複数の筒状部材又は棒状部材とを備え、開口穴の穴部に前記複数の筒状部材又は棒状部材が配置された状態で前記蓋本体によって前記開口穴の開口部を閉じる蓋であって、
前記蓋本体の下面に水圧が加えられた場合に、
前記開口穴から浮き上がって前記蓋本体と前記開口部の隙間から前記水圧を逃がすと共に、前記複数の筒状部材又は棒状部材の一部が前記穴部の内面に当接して該蓋の該開口穴からの離脱を防止し、
前記蓋本体への水圧が低下した場合に、
前記複数の筒状部材又は棒状部材が、前記穴部の内面から離間すると共に、自重により該蓋が降下し、前記蓋本体によって前記開口穴の開口部を塞ぐことを特徴とする蓋。
【請求項２】
前記複数の筒状部材又は棒状部材は、前記蓋本体に着脱自在に取り付けられることを特徴とする請求項１に記載の蓋。
【請求項３】
プラスチック製であって、地中に埋設される雨水貯留浸透槽に接続される雨水枡の上方開口を塞ぐことを特徴とする請求項１又は２に記載の蓋。
【発明の詳細な説明】
【技術分野】
【０００１】
本発明は、雨水貯留浸透施設に付設された雨水枡等に用いられる蓋に関する。
【背景技術】
【０００２】
雨水貯留浸透施設や雨水枡に大雨等によって大量の水が流れ込み、雨水枡の上方開口を塞ぐ蓋の下面への水圧が上昇すると、蓋が雨水枡から外れ、冠水時には外れた蓋が流されることがあった。このような蓋の流出を防止するため、種々の技術が開発されている。
【０００３】
例えば、特許文献１には、上下方向に貫通する軸孔及び通気孔が複数穿設された蓋本体と、軸孔を介して蓋本体の通気孔を開閉可能に上下動する弁体とを備え、軸孔に挿入される弁体の下端部に、弁体の流出を防止するためのストッパー部を設けたマンホール蓋が提案されている。この蓋によれば、蓋の下面に掛かる水圧が上昇した場合に、弁体が上昇して水圧を解放することができるため、蓋が流されることがない。
【０００４】
また、特許文献２には、上下方向に貫通する貫通孔が穿設された蓋本体と、蓋本体の貫通孔を開閉可能に上下動する可動開閉蓋とを備え、可動開閉蓋の脚部の下端に、可動開閉蓋の流出を防止するための係止爪部を設けた排水管路用圧力開放蓋が開示されている。この蓋も上記特許文献１に記載の蓋と同様に機能する。
【先行技術文献】
【特許文献】
【０００５】
【特許文献１】特許第５３３７００７号公報
【特許文献２】特許第５７０４９５６号公報
【発明の概要】
【発明が解決しようとする課題】
【０００６】
しかし、上記両特許文献に記載の蓋のように、蓋本体とは別に弁体や可動開閉蓋を設けたり、これらの上方への移動を規制するためにストッパー部や係止爪部を設けると、構造が複雑になると共に、ストッパー部等が設けられた弁体等を蓋本体に取り付ける作業も必要になるため、製造コストが高くなるという問題があった。
【０００７】
そこで、本発明は、上記従来技術における問題点に鑑みてなされたものであって、製造コストが低く、大雨等の際に雨水枡等から流出し難い蓋を提供することを目的とする。
【課題を解決するための手段】
【０００８】
上記目的を達成するため、本発明は、蓋本体と、該蓋本体の下面の縁部近傍の互いに離間する位置に配置される複数の筒状部材又は棒状部材とを備え、開口穴の穴部に前記複数の筒状部材又は棒状部材が配置された状態で前記蓋本体によって前記開口穴の開口部を閉じる蓋であって、前記蓋本体の下面に水圧が加えられた場合に、前記開口穴から浮き上がって前記蓋本体と前記開口部の隙間から前記水圧を逃がすと共に、前記複数の筒状部材又は棒状部材の一部が前記穴部の内面に当接して該蓋の該開口穴からの離脱を防止し、前記蓋本体への水圧が低下した場合に、前記複数の筒状部材又は棒状部材が、前記穴部の内面から離間すると共に、自重により該蓋が降下し、前記蓋本体によって前記開口穴の開口部を塞ぐことを特徴とする。
【０００９】
本発明によれば、蓋本体の下面の縁部近傍の互いに離間する位置に複数の筒状部材又は棒状部材を配置するだけで蓋が流出し難くなるため、構成が簡単で、製造コストを低く抑えることができる。
【００１０】
前記複数の筒状部材又は棒状部材を前記蓋本体に着脱自在に取り付けることができる。これにより、蓋本体と筒状部材等を分離した状態で保管したり、搬送することができるため、保管・搬送効率を向上させることができる。
【００１１】
上記蓋をプラスチック製とし、地中に埋設される雨水貯留浸透槽に接続される雨水枡の上方開口を塞ぐために用いることができる。
【発明の効果】
【００１２】
以上のように、本発明によれば、製造コストが低く、大雨等の際に雨水枡等から流出し難い蓋を提供することができる。
【図面の簡単な説明】
【００１３】
【図１】本発明に係る蓋の一実施の形態を示し、（ａ）は正面図、（ｂ）は上面図、（ｃ）は下面図、（ｄ）は（ａ）のＡ−Ａ線断面図である。
【図２】図１の蓋が装着される雨水枡を示し、（ａ）は上面図、（ｂ）は（ａ）のＢ−Ｂ線断面図である。
【図３】図１の蓋本体を図２の雨水枡に装着した状態を示し、（ａ）は上面図、（ｂ）は（ａ）のＣ−Ｃ線断面図である。
【図４】本発明に係る蓋の設置例を示す概略断面図である。
【図５】図４において雨水枡内の水位が上昇して蓋が浮上している状態を示す概略断面図である。
【図６】本発明に係る蓋の実験装置を示す概略断面図である。
【発明を実施するための形態】
【００１４】
次に、本発明を実施するための形態について、図面を参照しながら詳細に説明する。尚、以下の説明においては、本発明に係る蓋を雨水枡の蓋として用いる場合について説明する。
【００１５】
図１は、本発明に係る蓋の一実施の形態を示し、この蓋１は、プラスチック材料からなり、蓋本体１ａと、蓋本体１ａの下面の縁に形成される突条１ｂと、下面の縁部近傍に配置される４つの凸部１ｃと、凸部１ｃに取り付けられる４本のパイプ（筒状部材）１ｄと、上面に設けられる取っ手１ｅとを備える。
【００１６】
蓋本体１ａは、表面に滑り止めの凹凸模様が施され、裏面に多数のリブを備え、外径が３００ｍｍ程度に成形される。凸部１ｃと塩ビ製のパイプ１ｄは、圧入や螺合等により着脱自在に連結される。パイプ１ｄの外径や、長さ、取付位置については後述する。
【００１７】
蓋１が装着される一般的な雨水枡を図２に示し、図２の雨水枡２に蓋１が装着された状態を図３に示す。この雨水枡２は、上方開口２ｂを有する本体２ａと、本体２ａの上縁部に形成され、蓋１の突条１ｂと係合する溝（蓋枠）２ｃとを備える。
【００１８】
上記構成を有する蓋１が装着された雨水枡２の設置例を図４に示す。雨水枡２は、雨水貯留浸透施設１０の近傍に埋設され、建物の雨樋等からの雨水を配管１１を介して受け入れ、受け入れた雨水を配管１２を介して雨水貯留浸透施設１０に導入する。
【００１９】
大雨が発生し、上記雨水枡２及び雨水貯留浸透施設１０の貯留許容量を超える量の雨水がこれらに流れ込み、雨水貯留浸透施設１０が満杯になった後、雨水枡２から溢れ出ようとする雨水によって蓋１の下面に水圧が加えられると、図５に示すように、蓋１が雨水枡２から浮き上がり、これによって形成される蓋１と雨水枡２との間の隙間から矢印で示すように雨水が流出する。
【００２０】
ここで、蓋１には、下面の縁部近傍にパイプ１ｄが複数設けられているため、蓋１が雨水枡２から浮き上がり、冠水時に地面上の水Ｗの流れによって水平方向の力が加えられても、パイプ１ｄが雨水枡２の本体２ａの内周面に当接するため、蓋１が流されることがない。そして、蓋１と雨水枡２との間の隙間からの雨水の流出により、蓋１の下面に加えられる水圧が低下し、蓋１が下降して雨水枡２の上方開口２ｂを塞ぐ位置へと戻る。
【実施例】
【００２１】
上述のように大雨が発生した際の蓋１の状況を確認するため、図６に示す実験装置を製作し、大雨が降った場合を想定した実験を行った。
【００２２】
この実験装置２１は、水道水Ｔを貯留する水槽２２と、上記雨水枡２を水平方向に切断し、蓋１が嵌め込まれた外径３００ｍｍ及び高さ３００ｍｍの筒体２３と、筒体２３に固定されて底面を形成すると共に、筒体２３をコンクリート柱からなる重し２５を介して水槽２２の内部に固定するための塩ビ板２４と、配管２７を介して水道水Ｔを筒体２３へ送出する水中ポンプ２６とで構成される。尚、筒体２３の各部の名称やその符号は、上記雨水枡２のものを転用する。
【００２３】
水中ポンプ２６は、１８０ｌ／ｍｉｎの吐出量を有するものを用いた。この吐出量は、屋根面積１５０ｍ2で降雨強度８０ｍｍ／ｈｒの大雨時における水の流れを想定したものである。
【００２４】
上記実験装置２１において、パイプ１ｄの外径や長さ、取付位置を様々に設定した蓋１（図１等参照）を筒体２３に装着し、ポンプ２６を稼動して蓋１を押し上げる水圧を発生させた後、水道水Ｔを注入して冠水させた。この際、水位を筒体２３の上端から１５ｃｍまで上昇させた。一旦ポンプ２６を停止し、再度ポンプ２６を稼動して冠水状態で蓋１に水圧を加えた場合の状況、及びその後ポンプ２６を停止して冠水状態で蓋１に対する水圧が発生しなくなった場合の状況等を各々確認した。
【００２５】
上記実験の結果、蓋１のパイプ１ｄの外径を１５ｍｍ以上、長さを９０ｍｍ以上とし、パイプ１ｄを図１（ｃ）に一点鎖線で示す円Ｄ（直径２８５ｍｍ）より内側に設置すれば、蓋１が浮き上がるだけで流されることがなく、水圧が低下した場合には蓋１が自重により下降し、筒体２３の上方開口２ｂ（図２等参照）が塞がれることが確認された。
【００２６】
パイプ１ｄの取付位置を円Ｄに接する位置とするのは、上記円Ｄより外側に取り付けると、冠水状態で蓋１に加わる水圧が低下した場合に、パイプ１ｄが筒体２３に引っ掛かって上方開口２ｂを塞げなくなることが確認されたからである。
【００２７】
尚、上記実験では、外径３００ｍｍの蓋本体１ａを有する蓋１を用いたが、蓋本体１ａの外径を変更した場合においても、長さ９０ｍｍ以上のパイプ１ｄを水圧が低下した時筒体２３に引っ掛からない直径を有する円Ｄ（直径は蓋本体１ａの外径に応じて変化する）に接する位置に取り付けることにより、蓋本体１ａを押し上げる水圧が発生し冠水させても蓋１が浮き上がることがなく、同様の効果を奏する。尚、パイプ１ｄの外径は１５ｍｍ以下でも水圧等で蓋本体１ａが外れたり破損しなければ問題はないが、細長比が大きいパイプにすると取扱い上破損リスクが高まることを考慮して外径１５ｍｍに設定した。
【００２８】
以上のように、本実施の形態によれば、蓋本体１ａに凸部１ｃやパイプ１ｄを設けるだけで蓋１が流出し難くなるため、製造コストを低く抑えることができる。また、凸部１ｃからパイプ１ｄを取り外すことができるため、蓋本体１ａとパイプ１ｄを分離した状態で蓋１を保管したり、搬送することができるため、保管・搬送効率が向上する。
【００２９】
尚、上記説明においては、本発明に係る蓋１を雨水枡２に用いる場合を例示したが、その他の容器やマンホール等に適用することもできる。また、蓋１やパイプ１ｄの形状や材質等も種々変更可能であり、パイプ１ｄの本数も複数であれば４本に限定されない。さらに、パイプ１ｄのような筒状部材に代えて棒状部材を設けてもよい。
【符号の説明】
【００３０】
１    蓋
１ａ  蓋本体
１ｂ  突条
１ｃ  凸部
１ｄ  パイプ
１ｅ  取っ手
２    雨水枡
２ａ  本体
２ｂ  上方開口
２ｃ  溝
１０  雨水貯留浸透施設
１１、１２  配管
２１  実験装置
２２  水槽
２３  筒体
２４  塩ビ板
２５  重し
２６  水中ポンプ
２７  配管
Ｔ    水道水
Ｗ    水
【図１】
2018062780.tif 000003
【図２】
2018062780.tif 000004
【図３】
2018062780.tif 000005
【図４】
2018062780.tif 000006
【図５】
2018062780.tif 000007
【図６】
2018062780.tif 000008